(57)【要約】【課題】  多種多様な撮影装置のシャッタボタン等のボタンを確実に操作できるように自動操作器を取り付けることができる撮影装置の自動操作器用固定具を提供する。【解決手段】  固定具は、Ｌ字状のベースプレート１、中継プレート２、支持プレート３及び載置プレート４を備える。ベースプレート１は、載置プレート４を取り付ける載置プレート取付部１Ａと、載置プレート取付部１Ａに垂直に設けた垂設部１Ｂとからなる。載置プレート取付部１Ａは載置プレート４を固定するためのネジ挿通孔１１，１２を有する。中継プレート２は垂設部１Ｂに固定するためのネジ挿通孔２１と、支持プレート３を固定するためのネジ挿通孔２２，２３とを有する。支持プレート３はアクチュエータ１１０を固定するためのネジ挿通孔３１を有する。載置プレート４は撮影装置７０を固定するためのネジ挿通孔４３を有する。【選択図】      図１
0003114063.tif 000002
【実用新案登録請求の範囲】
【請求項１】
Ｌ字状のベースプレート、中継プレート、支持プレート及び載置プレートを備え、
ベースプレートは、載置プレートを重ねて取り付ける載置プレート取付部と、この載置プレート取付部に垂直に設けた垂設部とからなり、載置プレート取付部に載置プレート取付用のネジ挿通孔を長手方向に形成してなり、
中継プレートは、ベースプレートの垂設部に当該垂設部に沿って取り付けられ、選択的に垂設部への取付用のネジ挿通孔を長手方向に形成するとともに、支持プレート取付用のネジ挿通孔を垂設部への取付用のネジ挿通孔に直交する方向に形成してなり、
支持プレートは、中継プレートに垂直に取り付けられ、自動操作器のアクチュエータ取付用のネジ挿通孔を長手方向に形成してなり、
載置プレートは、撮影装置を取り付けるものであり、撮影装置取付用のネジ挿通孔をベースプレートの長手方向にほぼ直交する方向に形成してなることを特徴とする撮影装置の自動操作器用固定具。
【請求項２】
支持プレートのアクチュエータ取付用のネジ挿通孔は、当該支持プレートの長手方向に直交する方向に広がることを特徴とする請求項１記載の撮影装置の自動操作器用固定具。
【請求項３】
中継プレートの支持プレート取付用のネジ挿通孔は、２本並設されていることを特徴とする請求項１又は請求項２記載の撮影装置の自動操作器用固定具。
【請求項４】
中継プレートの垂設部への取付用のネジ挿通孔は、中継プレートに代えてベースプレートの垂設部に形成されていることを特徴とする請求項１、請求項２又は請求項３記載の撮影装置の自動操作器用固定具。
【考案の詳細な説明】
【技術分野】
【０００１】
この考案は、主としてデジタルカメラ（一眼レフカメラを含む）等の撮影装置のボタン（特にシャッタボタン）を自動操作する自動操作器を固定するための撮影装置の自動操作器用固定具に関する。
【背景技術】
【０００２】
例えば、赤外線を検知したときに撮影装置のボタンを遠隔操作又は無人操作する撮影装置用自動操作器がある。この撮影装置用自動操作器としては、撮影装置のシャッタボタンを動作させるアクチュエータ手段と、アクチュエータ手段の駆動電源と、駆動電源のスイッチ手段と、アクチュエータ手段を撮影装置の所定位置に着脱自在に固定する装着手段とを備え、アクチュエータ手段は、電磁ソレノイドと、電磁ソレノイドのプランジャシャフト先端に装着され撮影装置のシャッタボタンに当接する弾性押圧手段と、弾性押圧手段が撮影装置のシャッタボタンに接する位置にアクチュエータ手段をセットする支持手段とから構成した撮影補助装置がある（例えば、特許文献１参照）。
【０００３】
そのような撮影装置用自動操作器では、撮影装置自体のサイズ・形状やボタンの位置が異なる各種撮影装置に応じて、ボタンを確実に自動操作できることが重要である。上記特許文献１記載の撮影補助装置では、アクチュエータ手段を撮影装置の所定位置に着脱自在に固定する装着手段として、両端部に締結手段としての面ファスナーを有するベルトを用いている。
【０００４】
また、本願の先願に係る特許文献２には、３つのバーを用いた装着手段により操作手段（アクチュエータ）を撮影装置に固定する実施形態が記載されている。その装着手段は、図４に示すように、直線状のバー８１、Ｌ字状のバー８２及びＬ字状のバー８３を用いるもので、撮影装置７０と赤外線検知器１００がバー８１にネジ９１により取り付けられ、バー８１にはバー８２が、バー８２にはバー８３が、更にバー８３にアクチュエータ１１０がそれぞれネジ９１により取り付けられている。バー８１はネジ９１を通す２本の細長い開口を長手方向に有するので、各開口を利用して撮影装置７０と赤外線検知器１００をそれぞれ任意の位置で固定できる。同様に、バー８２，８３もネジ９１を通す細長い開口を有しており、バー８２に対するバー８３の位置とバー８３に対する操作手段１１０の位置をそれぞれ任意に固定できる。
【特許文献１】特開２００２−１４８７０３号公報
【特許文献２】特開２００５−２０５０４号公報（〔００２９〕〜〔００３１〕、図１０、図１１）
【考案の開示】
【考案が解決しようとする課題】
【０００５】
デジタルカメラ等の撮影装置は、装置自体のサイズや形状もまちまちであるばかりか、シャッタボタンが位置する付近は、平坦面であることは少なく、凸曲面、凹曲面の他、大小様々な突起物があるのが普通である。このような各種撮影装置では、アクチュエータを撮影装置にしっかりと固定し、アクチュエータがシャッタボタンを確実に押圧操作できるようにする必要がある。
【０００６】
しかしながら、上記特許文献１では、装着手段としてのベルトでアクチュエータ手段を撮影装置に固定しているため、アクチュエータ手段が不安定になり易い。つまり、アクチュエータ手段を取り付けたベルトを撮影装置に巻き付けてから締結手段としての面ファスナーでベルトが緩まないようにしているが、大小様々な凹凸面や突起物がある撮影装置にどんなにベルトをしっかりと固定したつもりでも、何度もアクチュエータ手段でシャッタボタンを操作するうちに、その振動等によりベルトが緩んだり、ベルトの位置がずれたりすることが多い。このような場合、アクチュエータ手段によるシャッタボタンの押圧操作が不安定になり、シャッタチャンスを逃すことも有り得る。
【０００７】
また、上記特許文献２では、操作手段１１０をバー８３にネジ９１で固定するので、操作手段１１０によるシャッタボタンの押圧操作が不安定になることはないが、操作手段１１０の固定位置に余り自由度がない。すなわち、バー８１に対する撮影装置７０（及び赤外線検知器１００）とバー８２の位置は図４の左右方向にのみ、バー８２に対するバー８３の位置は上下方向にのみ、バー８３に対するアクチュエータ１１０の位置は左右方向にのみ調整できる。この場合、ベルトに比べて、バー８１，８２，８３は金属製や樹脂製を問わず剛直性を有するのが普通であるため、各種サイズや形状の撮影装置に対応するには、可能な限り上下・左右・前後方向のうち複数の方向に固定位置を調節できることが好ましい。
【０００８】
この考案は、そのような実状に着目してなされたもので、多種多様な撮影装置のシャッタボタン等のボタンを確実に操作できるように自動操作器を取り付けることができる撮影装置の自動操作器用固定具を提供することを目的としている。
【課題を解決するための手段】
【０００９】
前記目的を達成するために、本考案の撮影装置の自動操作器用固定具は、それぞれ下記の構成を有するＬ字状のベースプレート、中継プレート、支持プレート及び載置プレートを備えることを特徴とする。
【００１０】
ベースプレートは、載置プレートを重ねて取り付ける載置プレート取付部と、この載置プレート取付部に垂直に設けた垂設部とからなり、載置プレート取付部に載置プレート取付用のネジ挿通孔を長手方向に形成してなる。
【００１１】
中継プレートは、ベースプレートの垂設部に当該垂設部に沿って取り付けられ、選択的に垂設部への取付用のネジ挿通孔を長手方向に形成するとともに、支持プレート取付用のネジ挿通孔を垂設部への取付用のネジ挿通孔に直交する方向に形成してなる。
【００１２】
支持プレートは、中継プレートに垂直に取り付けられ、自動操作器のアクチュエータ取付用のネジ挿通孔を長手方向に形成してなる。
【００１３】
載置プレートは、撮影装置を取り付けるものであり、撮影装置取付用のネジ挿通孔をベースプレートの長手方向にほぼ直交する方向に形成してなる。
【００１４】
この固定具では、ベースプレートの載置プレート取付用のネジ挿通孔が長手方向に形成されているので、ベースプレートに対する載置プレートの固定位置を左右方向に調整することが可能である。また、載置プレートの撮影装置取付用のネジ挿通孔がベースプレートの長手方向にほぼ直交する方向に形成されているので、載置プレートに対する撮影装置の固定位置を前後方向に調整することが可能である。更に、中継プレートの支持プレート取付用のネジ挿通孔が垂設部への取付用のネジ挿通孔に直交する方向（前後方向）に形成されているので、中継プレートに対する支持プレートの固定位置を前後方向に調整することが可能である。
【００１５】
この固定具において、支持プレートのアクチュエータ取付用のネジ挿通孔は、当該支持プレートの長手方向に直交する方向に広がることが好ましい。
【００１６】
また、中継プレートの支持プレート取付用のネジ挿通孔は、２本並設されていることが好ましい。
【００１７】
更に、中継プレートの垂設部への取付用のネジ挿通孔は、中継プレートに代えてベースプレートの垂設部に形成されていることが好ましい。
【００１８】
なお、本考案において、撮影装置は主としてデジタルカメラを指すが、オートワインダ機能を備えたカメラ、オートワインダ機能を付設可能なカメラなど、広くカメラ全般を含んでいる。
【考案の効果】
【００１９】
本考案によれば、ベースプレートに対する載置プレートの固定位置を左右方向に調整すること、載置プレートに対する撮影装置の固定位置を前後方向に調整すること、及び中継プレートに対する支持プレートの固定位置を前後方向に調整することが可能であるため、撮影装置に対するアクチュエータの固定位置の自由度が非常に高く、様々なサイズや形状の撮影装置に対応でき、そのシャッタボタン等のボタンを確実に操作できるようになる。
【００２０】
請求項２の構成とすれば、支持プレートに対するアクチュエータの固定位置を支持プレートの長手方向に直交する方向（上下方向又は前後方向）に調整することができ、撮影装置に対するアクチュエータの固定位置の自由度がより一層高まる。
【００２１】
請求項３の構成とすれば、支持プレートの固定安定性が増し、延いてはアクチュエータの安定性も更に向上する。
【考案を実施するための最良の形態】
【００２２】
以下、実施の形態により、この考案を更に詳細に説明する。
【００２３】
一実施形態に係る撮影装置の自動操作器用固定具の分解斜視図を図１に、この固定具に撮影装置（デジタルカメラ）、及び撮影装置のボタン（特にシャッタボタン）を押圧操作するアクチュエータを取り付けた状態の正面図を図３に示す。
【００２４】
この固定具は、Ｌ字状のベースプレート１、中継プレート２、支持プレート３及び載置プレート４を備える。
【００２５】
ベースプレート１は、後記載置プレート４を重ねて取り付ける載置プレート取付部１Ａと、この載置プレート取付部１Ａに垂直に設けた垂設部１Ｂとからなる。
【００２６】
載置プレート取付部１Ａは、それぞれ長手方向に形成された載置プレート取付用のネジ挿通孔１１，１２を有する。また、載置プレート取付部１Ａの後端縁には、当該ベースプレート１（固定具自身）を固定対象物に取り付けるためのスカート１３が下方向に付設され、このスカート１３には３つのネジ穴１４（図３参照）が設けられている。更に、載置プレート取付部１Ａには、載置プレート４のネジ挿通孔４３に対応する切欠き１５が形成されている。垂設部１Ｂは、中継プレート２を当該垂設部１Ｂに固定するのに使用するネジ６０を止めるための２つのネジ穴１６を有する。
【００２７】
中継プレート２は、ベースプレート１の垂設部１Ｂに当該垂設部１Ｂに沿って取り付けられ、ここでは長手方向に形成された垂設部１Ｂへの取付用のネジ挿通孔２１を有するとともに、このネジ挿通孔２１に直交する方向に形成された２本の支持プレート取付用のネジ挿通孔２２，２３を有する。ネジ挿通孔２２，２３は、ネジ挿通孔２１の上側に２本並んで位置する。
【００２８】
支持プレート３は、中継プレート２に垂直に取り付けられ、長手方向に形成された、自動操作器のアクチュエータ取付用のネジ挿通孔３１を有する。このネジ挿通孔３１は、支持プレート３の長手方向に直交する方向（上下方向）に広がっている。つまり、ネジ挿通孔３１の幅は、支持プレート３にアクチュエータ１１０を固定するのに使用するネジ６５の径よりも大きい。また、支持プレート３は、当該支持プレート３を中継プレート２に固定するのに使用するネジ６０を止めるための４つのネジ穴３２を有する。
【００２９】
載置プレート４は、撮影装置７０を取り付けるもので、撮影装置７０を載せるゴム等からなる弾性板４１，４２を有し、弾性板４１，４２は接着剤等により載置プレート４上に固着されている。また、載置プレート４は、弾性板４１，４２の間に撮影装置７０の取付用のネジ挿通孔４３を有し、ネジ挿通孔４３はベースプレート１の長手方向に直交する方向（前後方向）に形成されている。なお、図面には示されていないが、載置プレート４の裏側には、当該載置プレート４をベースプレート１の載置プレート取付部１Ａに固定するのに使用する蝶ネジ５０を止めるための２つのネジ穴が形成されている。
【００３０】
撮影装置７０は、載置プレート４の弾性板４１，４２上に或る程度位置を考慮して載せ、ベースプレート１の切欠き１５を介して載置プレート４の下側からネジ挿通孔４３に通したネジ（カメラネジ、図示せず）により取り付ける。このとき、ネジ挿通孔４３を利用し、載置プレート４に対する撮影装置７０の固定位置（前後方向位置）を調整できる。
【００３１】
この載置プレート４は、小ワッシャ５１と大ワッシャ５２を介してベースプレート１の載置プレート取付部１Ａのネジ挿通孔１１，１２に通した蝶ネジ５０を載置プレート４のネジ穴に螺合することで、載置プレート取付部１Ａに固定される。このとき、細長いネジ挿通孔１１，１２を利用し、載置プレート取付部１Ａに対する載置プレート４の固定位置（左右方向位置）を調整できる。
【００３２】
中継プレート２は、小ワッシャ６１と大ワッシャ６２を介してネジ挿通孔２１に通したネジ６０をベースプレート１の垂設部１Ｂのネジ穴１６に螺合することで、垂設部１Ｂに固定される。このとき、細長いネジ挿通孔２１を利用し、垂設部１Ｂに対する中継プレート２の固定位置（上下方向位置）を調整できる。
【００３３】
支持プレート３は、小ワッシャ６１と大ワッシャ６２を介して中継プレート２のネジ挿通孔２２，２３に通したネジ６０をネジ穴３２に螺合することで、中継プレート２に固定される。このとき、細長いネジ挿通孔２２，２３を利用し、中継プレート２に対する支持プレート３の固定位置（前後方向位置）を調整できる。
【００３４】
アクチュエータ１１０には、支持プレート３に取り付けるための取付板１２０がワッシャ１２６を介してネジ１２５により取り付けられている。この取付板１２０は、当該取付板１２０を支持プレート３に固定するのに使用するネジ６５を止めるための２つのネジ穴１２１を有する。取付板１２０（すなわちアクチュエータ１１０）は、小ワッシャ６６、中ワッシャ６７及び大ワッシャ６８を介して支持プレート３のネジ挿通孔３１に通したネジ６５をネジ穴１２１に螺合することで、支持プレート３に固定される。このとき、細長いネジ挿通孔３１を利用し、中継プレート３に対するアクチュエータ１１０の固定位置（左右・上下方向位置）を調整できる。
【００３５】
なお、アクチュエータ１１０は、撮影装置７０のボタン（シャッタボタン）７１を押圧操作するプランジャ１１１が電磁ソレノイドの内側空洞に移動可能に配置された構造を備え、プランジャ１１１の先端部が出入可能になっている。勿論、固定具を用いて全ての要素を一体的に取り付ける際には、アクチュエータ１１０のプランジャ１１１が撮影装置７０のボタン７１を押圧操作できるように、各要素の固定位置が調節される。また、別途配置する赤外線検知器１００は、前面に検知部１０１を有する。
【００３６】
このように構成した固定具では、載置プレート４に対する撮影装置７０の固定位置（前後方向位置）、ベースプレート１の載置プレート取付部１Ａに対する載置プレート４の固定位置（左右方向位置）、ベースプレート１の垂設部１Ｂに対する中継プレート２の固定位置（上下方向位置）、中継プレート２に対する支持プレート３の固定位置（前後方向位置）、及び支持プレート３に対するアクチュエータ１１０の固定位置（左右・上下方向位置）をそれぞれ調整できるため、撮影装置７０に対するアクチュエータ１１０の固定位置の自由度が非常に高く、様々なサイズや形状の撮影装置７０に対応でき、そのシャッタボタン等のボタン７１を確実に操作できるようになる。
【００３７】
別実施形態に係る撮影装置の自動操作器用固定具の分解斜視図を図２に示す。この固定具は、支持プレート３´と取付板１２０´の形状が異なる以外は上記固定具と同じ構成である。支持プレート３´は、その上面にネジ挿通孔３１を有し、アクチュエータ１１０を上側から固定するようになっている。取付板１２０´は、Ｌ字状を呈し、上部にネジ穴１２１を有する。
【００３８】
従って、取付板１２０´は、小ワッシャ６６、中ワッシャ６７及び大ワッシャ６８を介して支持プレート３´のネジ挿通孔３１に通したネジ６５をネジ穴１２１に螺合することで、支持プレート３´に固定される。このとき、同様に細長いネジ挿通孔３１を利用し、支持プレート３´に対するアクチュエータ１１０の固定位置（左右・前後方向位置）を調整できる。
【００３９】
なお、上記実施形態では、いずれも中継プレート２が当該中継プレート２をベースプレート１の垂設部１Ｂに固定するのに使用するネジ６０を通すネジ挿通孔２１を有するが、このネジ挿通孔を垂設部１Ｂに設けても構わない。この場合、ネジ６０を螺合するためのネジ穴１６は垂設部１Ｂに代えて中継プレート２に設けるのは勿論である。
【００４０】
撮影装置７０、アクチュエータ１１０を取り付けた固定具は、屋外や屋内に設置しておくとともに、赤外線検知器１００は、別途、固定具の設置場所の近くに設置しておく。赤外線検知器１００が人間や人以外の動物等の赤外線発生体からの赤外線を検知すると、それをトリガーとしてアクチュエータ１１０が作動し、プランジャ１１１の先端部が撮影装置７０のシャッタボタン７１を押圧操作する。これにより、撮影装置７０が被写体である赤外線発生体を自動撮影する。
【図面の簡単な説明】
【００４１】
【図１】一実施形態に係る撮影装置の自動操作器用固定具の分解斜視図である。
【図２】別実施形態に係る撮影装置の自動操作器用固定具の分解斜視図である。
【図３】図１の固定具に撮影装置（デジタルカメラ）、及び撮影装置のボタン（シャッタボタン）を押圧操作するアクチュエータを取り付けた状態の正面図である。
【図４】従来例に係る撮影装置用自動操作器の操作手段を撮影装置としてのデジタルカメラに装着手段（３つのバーからなるもの）により装着したときの概略正面図である。
【符号の説明】
【００４２】
１            Ｌ字状のベースプレート
１Ａ          載置プレート取付部
１Ｂ          垂設部
２            中継プレート
３            支持プレート
４            載置プレート
１１，１２    ネジ挿通孔
２１          ネジ挿通孔
２２，２３    ネジ挿通孔
３１          ネジ挿通孔
４３          ネジ挿通孔
１６，３２    ネジ穴
１２１        ネジ穴
７０          撮影装置（デジタルカメラ）
７１          ボタン（シャッタボタン）
１００        発熱体検知センサ（赤外線検知器）
１１０        アクチュエータ
１１１        プランジャ
【図１】
0003114063.tif 000003
【図２】
0003114063.tif 000004
【図３】
0003114063.tif 000005
【図４】
0003114063.tif 000006